【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
解像度非依存データと、複数の印刷設定情報と、前記解像度非依存データを前記複数の印刷設定情報に従い変換することで得られた解像度依存描画データとを互いに関連付けたドキュメントを保持する保持手段と、
前記ドキュメントの印刷時に設定された印刷設定と同等の印刷設定情報が当該ドキュメントに保持されているか判定する第１の判定手段と、
前記第１の判定手段で同等の印刷設定情報が保持されていると判定した場合は、当該同等の印刷設定情報に関連付けられている前記解像度依存描画データを用いて印刷処理を行い、前記第１の判定手段で同等の印刷設定情報が保持されていないと判定した場合は、前記ドキュメントに保持されている前記解像度非依存データを用いて印刷処理を行うように制御する制御手段と
を備えることを特徴とする画像処理装置。
【請求項２】
前記同等の印刷設定情報に対応する解像度依存描画データが前記ドキュメントに保持されているか判定する第２の判定手段を更に備え、
前記制御手段は、前記第１の判定手段で同等の印刷設定情報が保持されていると判定し且つ前記第２の判定手段で当該同等の印刷設定情報に対応する解像度依存描画データが前記ドキュメントに保持されていると判定した場合に、当該同等の印刷設定情報に関連付けられている前記解像度依存描画データを用いて印刷処理を行うように制御し、
前記第１の判定手段で同等の印刷設定情報が保持されていないと判定した場合、或いは前記第１の判定手段で同等の印刷設定情報が保持されていると判定し且つ前記第２の判定手段で当該同等の印刷設定情報に対応する解像度依存描画データが前記ドキュメントに保持されていないと判定した場合に、前記ドキュメントに保持されている前記解像度非依存データを用いて印刷処理を行うように制御することを特徴とする請求項１に記載の画像処理装置。
【請求項３】
前記保持手段は、設定された印刷設定にしたがって前記解像度非依存データの印刷処理を行う際のラスタ生成時間が閾値より長い場合に、当該設定された印刷設定に従い前記解像度非依存データを変換することで得られる解像度依存描画データを、当該印刷設定に関する印刷設定情報と関連付けて前記ドキュメントに保持することを特徴とする請求項１または２に記載の画像処理装置。
【請求項４】
前記解像度非依存データは複数のページからなり、
前記保持手段は、該ページごとに、前記設定された印刷設定にしたがって前記解像度非依存データの印刷処理を行う際のラスタ生成時間が前記閾値より長いか判断し、長いと判断したページの前記解像度依存描画データを当該印刷設定情報と関連付けて前記ドキュメントに保持することを特徴とする請求項３に記載の画像処理装置。
【請求項５】
前記印刷設定情報は、印刷枚数、倍率、印刷面付け、用紙の種類、仕上げの情報を含み、前記第１の判定手段は、前記印刷時に設定された印刷設定と印刷枚数以外の情報が同じ印刷設定情報を、前記同等の印刷設定情報として判定することを特徴とする請求項１乃至４のいずれか１項に記載の画像処理装置。
【請求項６】
前記ドキュメントに保持されている複数の印刷設定情報の一覧を表示し、当該表示された一覧の中からユーザにより選択された印刷設定情報を、前記印刷時に設定される印刷設定として復元する復元手段を更に備えることを特徴とする請求項１乃至５のいずれか１項に記載の画像処理装置。
【請求項７】
前記保持手段に保持された前記ドキュメントを、ネットワークを介して当該画像処理装置に接続されている別のデバイスに複製するように指示された場合、該ドキュメントから前記解像度依存描画データを削除した後のドキュメントを前記別のデバイスに送信する複製手段を更に備えることを特徴とする請求項１乃至６のいずれか１項に記載の画像処理装置。
【請求項８】
前記解像度非依存データはベクタデータであり、前記解像度依存描画データはレンダリング処理に用いる中間コードであることを特徴とする請求項１乃至７のいずれか１項に記載の画像処理装置。
【請求項９】
画像処理装置の保持手段が、解像度非依存データと、複数の印刷設定情報と、前記解像度非依存データを前記複数の印刷設定情報に従い変換することで得られた解像度依存描画データとを互いに関連付けたドキュメントを保持する保持ステップと、
前記画像処理装置の判定手段が、前記ドキュメントの印刷時に設定された印刷設定と同等の印刷設定情報が当該ドキュメントに保持されているか判定する判定ステップと、
前記画像処理装置の制御手段が、前記判定ステップで同等の印刷設定情報が保持されていると判定した場合は、当該同等の印刷設定情報に関連付けられている前記解像度依存描画データを用いて印刷処理を行い、前記判定ステップで同等の印刷設定情報が保持されていないと判定した場合は、前記ドキュメントに保持されている前記解像度非依存データを用いて印刷処理を行うように制御する制御ステップと
を備えることを特徴とする画像処理装置の制御方法。
【請求項１０】
コンピュータを、
解像度非依存データと、複数の印刷設定情報と、前記解像度非依存データを前記複数の印刷設定情報に従い変換することで得られた解像度依存描画データとを互いに関連付けたドキュメントを保持する保持手段、
前記ドキュメントの印刷時に設定された印刷設定と同等の印刷設定情報が当該ドキュメントに保持されているか判定する第１の判定手段、および
前記第１の判定手段で同等の印刷設定情報が保持されていると判定した場合は、当該同等の印刷設定情報に関連付けられている前記解像度依存描画データを用いて印刷処理を行い、前記第１の判定手段で同等の印刷設定情報が保持されていないと判定した場合は、前記ドキュメントに保持されている前記解像度非依存データを用いて印刷処理を行うように制御する制御手段
として機能させるためのプログラム。
【手続補正２】
【補正対象書類名】明細書
【補正対象項目名】発明の名称
【補正方法】変更
【補正の内容】
【発明の名称】画像処理装置およびその制御方法並びにプログラム
【手続補正３】
【補正対象書類名】明細書
【補正対象項目名】００１０
【補正方法】変更
【補正の内容】
【００１０】
上記課題を解決するため、本発明の画像処理装置は、解像度非依存データと、複数の印刷設定情報と、解像度非依存データを複数の印刷設定情報に従い変換することで得られた解像度依存描画データとを互いに関連付けたドキュメントを保持する保持手段と、ドキュメントの印刷時に設定された印刷設定と同等の印刷設定情報が当該ドキュメントに保持されているか判定する第１の判定手段と、第１の判定手段で同等の印刷設定情報が保持されていると判定した場合は、同等の印刷設定情報に関連付けられている解像度依存描画データを用いて印刷処理を行い、第１の判定手段で同等の印刷設定情報が保持されていないと判定した場合は、ドキュメントに保持されている解像度非依存データを用いて印刷処理を行うように制御する制御手段とを備えることを特徴とする。  
本発明の画像処理装置の制御方法は、画像処理装置の保持手段が、解像度非依存データと、複数の印刷設定情報と、解像度非依存データを複数の印刷設定情報に従い変換することで得られた解像度依存描画データとを互いに関連付けたドキュメントを保持する保持ステップと、画像処理装置の判定手段が、ドキュメントの印刷時に設定された印刷設定と同等の印刷設定情報が当該ドキュメントに保持されているか判定する判定ステップと、画像処理装置の制御手段が、判定ステップで同等の印刷設定情報が保持されていると判定した場合は、同等の印刷設定情報に関連付けられている解像度依存描画データを用いて印刷処理を行い、判定ステップで同等の印刷設定情報が保持されていないと判定した場合は、ドキュメントに保持されている解像度非依存データを用いて印刷処理を行うように制御する制御ステップとを備えることを特徴とする。  
本発明のプログラムは、コンピュータを、解像度非依存データと、複数の印刷設定情報と、解像度非依存データを複数の印刷設定情報に従い変換することで得られた解像度依存描画データとを互いに関連付けたドキュメントを保持する保持手段、ドキュメントの印刷時に設定された印刷設定と同等の印刷設定情報がドキュメントに保持されているか判定する第１の判定手段、および第１の判定手段で同等の印刷設定情報が保持されていると判定した場合は、同等の印刷設定情報に関連付けられている解像度依存描画データを用いて印刷処理を行い、第１の判定手段で同等の印刷設定情報が保持されていないと判定した場合は、ドキュメントに保持されている解像度非依存データを用いて印刷処理を行うように制御する制御手段として機能させることを特徴とする。